(57)【要約】　【課題】複数の可変表示手段に夫々対応させて演出表示を行う複数の演出表示手段を設けることにより、演出に幅を持たせて遊技性を高め、その演出表示内容の意味も理解し易いものにすることができる遊技機を提供する。　【解決手段】　可変表示装置１０は、３組の可変表示手段に夫々対応させて演出表示を行う３組の演出表示手段３０を備えている。可変表示装置１０の各可変表示手段は、変動停止状態の遊技図柄を夫々表示可能な複数の表示部１３を有し、演出表示手段３０は、これら表示部１３に夫々対応させて演出表示を行う複数の演出表示部３１を有する。そして、演出表示手段３０に少なくとも特別図柄に関連する同図柄を表示可能に構成してある。【選択図】　図４
2004113828.tif 000002
【特許請求の範囲】
【請求項１】
　複数種類の遊技図柄を夫々可変表示可能な複数の可変表示手段(3,4,5,12)を複数組並べて配置した可変表示装置(10)と、変動停止時の遊技図柄の組合せが特定態様になった場合に遊技者に有利な利益状態を発生させる利益状態発生手段(46)とを備えた遊技機において、
　前記可変表示装置(10)は、前記複数の可変表示手段(3,4,5,12)に夫々対応させて演出表示を行う複数の演出表示手段(30)を備えたことを特徴とする遊技機。
【請求項２】
　前記可変表示装置(10)の各可変表示手段(3,4,5,12)は、変動停止状態の遊技図柄を夫々表示可能な複数の表示部(13)を有し、前記演出表示手段(30)は、これら表示部(13)に夫々対応させて演出表示を行う複数の演出表示部(31)を有することを特徴とする請求項１に記載の遊技機。
【請求項３】
　前記複数種類の遊技図柄は特別図柄を含み、前記演出表示手段(30)に少なくとも前記特別図柄に関連する図柄を表示可能に構成したことを特徴とする請求項１又は２に記載の遊技機。
【請求項４】
　前記演出表示手段(30)に演出表示可能な複数種類の演出表示パターンを記憶した演出表示記憶手段(47)と、この演出表示記憶手段(47)に記憶した１つの演出表示パターンを選択可能な演出表示選択手段(49)を備えるとともに、
　前記利益状態を発生させるか否かを乱数抽選にて行う抽選手段(42)と、この抽選手段(42)の抽選結果を受けて前記演出表示選択手段(49)で選択された演出表示パターンに基づいて演出表示手段(30)に表示させる演出表示制御手段（50）とを備えたことを特徴とする請求項１〜３の何れかに記載の遊技機。
【請求項５】
　前記可変表示手段(3,4,5,12)は複数種類の遊技図柄を印した回転リール（3,4,5)を機械的に回転駆動して可変表示を行う機械的可変表示手段であり、前記演出表示手段(30)は電気的に表示を行う電気的演出表示手段であることを特徴とする請求項１〜４の何れかに記載の遊技機。
【請求項６】
　前記可変表示手段(3,4,5,12)とそれに対応する演出表示手段(30)を隣接状に設けたことを特徴とする請求項１〜５の何れかに記載の遊技機。
【請求項７】
　前記演出表示制御手段(50)は、複数の可変表示手段(3,4,5,12)の遊技図柄の変動開始直後又は変動中に、演出表示手段(30)に特別図柄に関連する図柄を表示させる演出表示タイミング機能を有することを特徴とする請求項４〜６の何れかに記載の遊技機。
【請求項８】
　前記演出表示タイミング機能は、前記複数の演出表示部(31)を介して行う演出表示を同時に実行する同時演出機能を含むことを特徴とする請求項７に記載の遊技機。
【請求項９】
　前記演出表示タイミング機能は、前記複数の演出表示部(31)を介して行う演出表示を段階的に実行する段階的演出機能を含むことを特徴とする請求項７に記載の遊技機。
【請求項１０】
　前記演出表示制御手段(50)は、前記複数の演出表示部(31)に特別図柄に関連する図柄をスクロール表示可能なスクロール演出機能を有することを特徴とする請求項４〜９の何れかに記載の遊技機。
【請求項１１】
　前記演出表示制御手段(50)は、前記複数の演出表示部(31)に特別図柄に関連する図柄を移動表示可能な移動演出機能を有することを特徴とする請求項４〜９の何れかに記載の遊技機。
【発明の詳細な説明】
【技術分野】
【０００１】
　本発明は遊技機に関し、特に複数の可変表示手段に夫々対応させて演出表示を行う複数の演出表示手段を設けたものに関する。
【背景技術】
【０００２】
　従来、スロットマシン等の遊技機には、一般に、複数種類の遊技図柄が夫々印された３組の回転リールが左右方向に並べて設けられ、遊技者が所定枚数（例えば、１〜３枚）のメダルを投入してスタートレバーを操作すると３組の回転リールが回転して、複数種類の遊技図柄が３列で夫々変動表示され、その後、３つの停止ボタンを操作して３組の回転リールを停止させる。
【０００３】
　例えば、各回転リールの３つの停止図柄、３組の回転リールで３行３列計９つの停止図柄を遊技者側に表示可能に停止させる停止領域が設けられ、３組の回転リールが変動してから停止したとき、この停止領域に停止した停止図柄の組合せによって、外れ態様、小役態様、大当り態様（特定態様）等の態様に分かれ、大当り態様になった場合には、その後の遊技において所定条件を満たすまで、メダルの払戻しが多く得られる利益状態が発生する。
【０００４】
　抽選手段により、回転リールの回転開始を指令するスタートレバーの操作時に「大当り」か否かの抽選が行われ、例えば１／３００の確率で「大当り」が抽選された場合に限り、停止領域に停止した停止図柄の組合せが特定態様（例えば、停止領域に設定された入賞ライン上に「７７７」が揃う組合せ）となるように、遊技者が３組の回転リールを停止させることが可能になる。
【０００５】
　尚、各回転リールには概ね７種類計２１個の遊技図柄が印され、そのうち、特定態様を構成する１つの図柄となる特別図柄（例えば、「７」）は１〜３個程度であることから、「大当り」が抽選されたとしても、特定態様となるように３組の回転リールを停止させることは簡単ではない。但し、図柄引込み停止制御により、厳密なタイミングで停止ボタンを操作しなくても、特定態様となるように回転リールを停止させることはある程度容易になる。
【０００６】
　ところで、「大当り」が抽選されても、３組の回転リールが特定態様となる組合せで停止しない場合、前記図柄引込み制御も機能して、「大当り」が抽選されている場合にのみ出現するリーチ目となる態様で停止することが多い。このリーチ目は複数種類あり、そのうちの１つのリーチ目の出現により、遊技者がそのリーチ目を知っていれば、「大当り」が抽選されたことを知ることができる。尚、「大当り」が抽選されている場合に大当り告知ランプを点灯させるスロットマシンは実用に供されている（特許文献１参照）。
【０００７】
　一方、３組の第１〜第３回転リールとは別に、複数種類の図柄が印された第４回転リールを設け、この第４回転リールの回転停止制御により演出表示を行うもの、液晶ディスプレイを設け、この液晶ディスプレイにキャラクタを登場させる等の方法で演出表示を行うものは実用に供されている。これら第４回転リールや液晶ディスプレイ等の演出表示手段は、第１〜第３回転リールを含む可変表示手段の全体的な演出表示を行うものである。
【０００８】
　遊技機であるパチンコ機においても、図柄表示手段に複数種類の遊技図柄が例えば３列で夫々変動表示され、変動停止時の遊技図柄の組合せが特定態様になった場合に、遊技者に有利な利益状態を発生させるものが多い。この種のパチンコ機では、図柄表示手段である液晶ディスプレイに、キャラクタを登場させる等の方法で種々の演出表示を行い遊技性を高めるようにしたものは広く実用に供されているが、更なる遊技性の向上が望まれるところである。
【特許文献１】特開平１１−３１９１８８号公報
【発明の開示】
【発明が解決しようとする課題】
【０００９】
　従来のスロットマシン等の遊技機において、単に３組の回転リールを回転させ停止させて、停止図柄の組合せで態様を決めるものでは、遊技性の乏しいものになる。また、「大当り」が抽選されていても、図柄引込み停止制御が行われるものの、特定態様となるように３組の回転リールを停止させることは普通簡単ではなく、そのことを遊技者が知ることも難しい。「大当り」が抽選されている場合に大当り告知ランプを点灯させるものは存在するが、それだけでは、遊技性を高めたものと言いがたい。
【００１０】
　一方、３組の第１〜第３回転リールとは別に、複数種類の図柄が印された第４回転リールや液晶ディスプレイ等の演出表示手段を設けたものでは、第１〜第３回転リールを含む可変表示手段の全体的な演出表示を行うものであり、この演出表示手段により大当りの告知を行うこともできる。しかし、演出表示手段は可変表示手段の全体的な演出表示を行うものであるため、その演出表示内容にも限界があるし、その演出内容の意味が理解しにくい面もある。
【００１１】
　本発明の目的は、複数の可変表示手段に夫々対応させて演出表示を行う複数の演出表示手段を設けることにより、演出に幅を持たせて遊技性を高め、その演出表示内容の意味も理解し易いものにすることができる遊技機を提供することであり、特にスロットマシン等の遊技機の場合には、「大当り」が抽選されたことを遊技者に確実に知らせること、遊技者が複数回に亙って「大当り」となる期待を持ちつつリールの停止操作を行えるようにすること、等を実現可能にして遊技性の幅を広げることである。
【課題を解決するための手段】
【００１２】
　請求項１の遊技機は、複数種類の遊技図柄を夫々可変表示可能な複数の可変表示手段を複数組並べて配置した可変表示装置と、変動停止時の遊技図柄の組合せが特定態様になった場合に遊技者に有利な利益状態を発生させる利益状態発生手段とを備えた遊技機において、前記可変表示装置は、前記複数の可変表示手段に夫々対応させて演出表示を行う複数の演出表示手段を備えたことを特徴とするものである。
【００１３】
　可変表示装置は複数種類の遊技図柄を夫々可変表示可能な複数の可変表示手段を複数組並べて配置したものであり、変動停止時の遊技図柄の組合せが大当りとなる特定態様になった場合に、利益状態発生手段が遊技者に有利な利益状態を発生させる。可変表示装置には複数の演出表示手段が設けられ、これら演出表示手段にて複数の可変表示手段に夫々対応させて演出表示を行うことができる。
【００１４】
　可変表示装置の複数の演出表示手段にて複数の可変表示手段に夫々対応させて演出表示を行うことができるため、全体的な演出表示内容を豊富にすることができ、その結果、演出に幅を持たせて遊技性を高めることができるし、その演出表示内容の意味も理解し易いものにすることができる。
【００１５】
　特に、スロットマシン等の遊技機では、「大当り」が抽選されても、利益状態を発生させる特定態様となるように３組の回転リールを停止させることは簡単ではなく、「大当り」が抽選されていることを遊技者が知ることは難しいが、演出表示手段にて行われる演出表示の内容によって、又は、その演出表示内容と遊技内容とによって、「大当り」が抽選されていることを遊技者に確実に知らせることも可能となる。
【００１６】
　請求項２の遊技機は、請求項１の発明において、前記可変表示装置の各可変表示手段は、変動停止状態の遊技図柄を夫々表示可能な複数の表示部を有し、前記演出表示手段は、これら表示部に夫々対応させて演出表示を行う複数の演出表示部を有することを特徴とするものである。
【００１７】
　各可変表示手段の複数の表示部に変動停止状態の遊技図柄を夫々表示させることができる。そして、演出表示手段に、各可変表示手段の複数の表示部に夫々対応させて演出表示を行う複数の演出表示部を設けたので、遊技性を高める為に行う演出の幅を確実に広くすることができる。
【００１８】
　請求項３の遊技機は、請求項１又は２の発明において、前記複数種類の遊技図柄は特別図柄を含み、前記演出表示手段に少なくとも前記特別図柄に関連する図柄を表示可能に構成したことを特徴とするものである。特別図柄を前記特定態様を構成する１つの図柄となる遊技図柄とすることができる。
【００１９】
　演出表示手段に特別図柄に関連する図柄を表示させた場合において、例えば、その演出表示手段に対応する可変表示手段にて特別図柄が変動停止して表示された場合には、「大当り」が抽選されていることとしたり、例えば、その演出表示手段に対応する可変表示手段にて特別図柄を表示可能に確実に変動停止させることが可能になる等、遊技者への期待度を高めるような演出を行うことができる。
【００２０】
　請求項４の遊技機は、請求項１〜３の何れかの発明において、前記演出表示手段に演出表示可能な複数種類の演出表示パターンを記憶した演出表示記憶手段と、この演出表示記憶手段に記憶した１つの演出表示パターンを選択可能な演出表示選択手段を備えるとともに、前記利益状態を発生させるか否かを乱数抽選にて行う抽選手段と、この抽選手段の抽選結果を受けて前記演出表示選択手段で選択された演出表示パターンに基づいて演出表示手段に表示させる演出表示制御手段とを備えたことを特徴とするものである。
【００２１】
　この遊技機では、演出表示記憶手段に、演出表示手段に演出表示可能な複数種類の演出表示パターンが記憶されており、演出表示選択手段により、この演出表示記憶手段に記憶した１つの演出表示パターンが選択される。抽選手段により利益状態を発生させるか否かが乱数抽選にて行われ、演出表示制御手段により、抽選手段の抽選結果に基づいて演出表示選択手段で選択された演出表示パターンに基づいて演出表示手段に表示させて演出を行う。
【００２２】
　例えば、抽選手段が利益状態を発生させると抽選した場合、演出表示を行う確率を高くすることにより、その演出表示が行われたことで、遊技者の期待度を高めることができる。尚、前記複数種類の演出表示パターンにランク付けを行い、演出表示選択手段は抽選手段の抽選結果を受け、利益状態を発生させると抽選されたときには、ランクの高い演出表示パターンを選択する確率を高くするように構成することができる。
【００２３】
　請求項５の遊技機は、請求項１〜４の何れかの発明において、前記可変表示手段は複数種類の遊技図柄を印した回転リールを機械的に回転駆動して可変表示を行う機械的可変表示手段であり、前記演出表示手段は電気的に表示を行う電気的演出表示手段であることを特徴とするものである。
【００２４】
　可変表示手段を、複数種類の遊技図柄を印した回転リールを機械的に回転駆動して可変表示を行う機械的可変表示手段とすることにより、遊技機として回転リールを備えたスロットマシンやパチンコ機等を適用することができ、演出表示手段を、電気的に表示を行う電気的演出表示手段とすることにより、演出表示を速やかに行うことが可能になり演出の幅も広がる。
【００２５】
　請求項６の遊技機は、請求項１〜５の何れかの発明において、前記可変表示手段とそれに対応する演出表示手段とを隣接状に設けたことを特徴とするものである。可変表示手段による可変表示とそれに対応する演出表示手段による演出表示が見やすくなり、それらの対応関係も明確になる。
【００２６】
　請求項７の遊技機は、請求項４〜６の何れかの発明において、前記演出表示制御手段は、複数の可変表示手段の遊技図柄の変動開始直後又は変動中に、演出表示手段に特別図柄に関連する図柄を表示させる演出表示タイミング機能を有することを特徴とするものである。演出表示制御手段に演出表示タイミング機能を設けたことにより、複数の可変表示手段の遊技図柄の変動開始直後又は変動中に、演出表示手段に特別図柄に関連する図柄を表示させることができる。
【００２７】
　請求項８の遊技機は、請求項７の発明において、前記演出表示タイミング機能は、前記複数の演出表示部を介して行う演出表示を同時に実行する同時演出機能を含むことを特徴とするものである。演出表示タイミング機能に含まれる同時演出機能により、複数の演出表示部を介して行う演出表示を同時に実行することが可能になる。
【００２８】
　請求項９の遊技機は、請求項７の発明において、前記演出表示タイミング機能は、前記複数の演出表示部を介して行う演出表示を段階的に実行する段階的演出機能を含むことを特徴とするものである。演出表示タイミング機能に含まれる段階的演出機能により、複数の演出表示部を介して行う演出表示を段階的に実行することが可能になる。
【００２９】
　請求項１０の遊技機は、請求項４〜９の何れかの発明において、前記演出表示制御手段は、前記複数の演出表示部に特別図柄に関連する図柄をスクロール表示可能なスクロール演出機能を有することを特徴とするものである。演出表示制御手段にスクロール演出機能を設けたことにより、複数の演出表示部に特別図柄に関連する図柄をスクロール表示可能になる。
【００３０】
　請求項１１の遊技機は、請求項４〜９の何れかの発明において、前記演出表示制御手段は、前記複数の演出表示部に特別図柄に関連する図柄を移動表示可能な移動演出機能を有することを特徴とするものである。演出表示制御手段に移動演出機能を設けたことにより、複数の演出表示部に特別図柄に関連する図柄を移動表示可能になる。
【発明の効果】
【００３１】
　請求項１の遊技機によれば、複数種類の遊技図柄を夫々可変表示可能な複数の可変表示手段を複数組並べて配置した可変表示装置に、これら可変表示手段に夫々対応させて演出表示を行う複数の演出表示手段を設けたので、全体的な演出表示内容を豊富にすることができ、その結果、演出に幅を持たせて遊技性を高めることができるし、その演出表示内容の意味も理解し易いものにすることができる。
【００３２】
　特に、スロットマシン等の遊技機では、「大当り」が抽選されも、利益状態を発生させる特定態様となるように３組の回転リールを停止させることは簡単ではなく、「大当り」が抽選されていることを遊技者が知ることは難しいが、可変表示手段にて行われる演出表示の内容によって、又は、その演出表示内容と遊技内容とによって、「大当り」が抽選されていることを遊技者に確実に知らせることも可能となる。
【００３３】
　請求項２の遊技機によれば、可変表示装置の各可変表示手段は、変動停止状態の遊技図柄を夫々表示可能な複数の表示部を有し、演出表示手段は、これら表示部に夫々対応させて演出表示を行う複数の演出表示部を有するので、遊技性を高める為に行う演出の幅を確実に広くすることができる。
【００３４】
　請求項３の遊技機によれば、複数種類の遊技図柄は特別図柄を含み、演出表示手段に少なくとも特別図柄に関連する図柄を表示可能に構成したので、演出表示手段に特別図柄に関連する図柄を表示させた場合において、例えば、その演出表示手段に対応する可変表示手段にて特別図柄が変動停止して表示された場合には、「大当り」が抽選されていることとしたり、例えば、その演出表示手段に対応する可変表示手段にて特別図柄を表示可能に確実に変動停止させることが可能になる等、遊技者への期待度を高めるような演出を行うことができる。
【００３５】
　請求項４の遊技機によれば、演出表示選択手段により、演出表示記憶手段に記憶した複数種類の演出表示パターンのなかから１つの演出表示パターンを選択し、抽選手段により行われる利益状態を発生させるか否かの抽選結果を受けて、演出表示制御手段により、演出表示選択手段で選択された演出表示パターンに基づいて演出表示手段に表示させる演出を行うことができる。例えば、抽選手段が利益状態を発生させると抽選した場合、演出表示される確率を高くすることにより、その演出表示が行われたことにより、遊技者の期待度を高めることができる。複数種類の演出表示パターンにランク付けを行い、演出表示選択手段は抽選手段の抽選結果を受け、利益状態を発生させると抽選されたときには、ランクの高い演出表示パターンを選択する確率を高くするように構成することができる。
【００３６】
　請求項５の遊技機によれば、可変表示手段は複数種類の遊技図柄を印した回転リールを機械的に回転駆動して可変表示を行う機械的可変表示手段であるので、遊技機として回転リールを備えたスロットマシンやパチンコ機等を適用することができ、演出表示手段を、電気的に表示を行う電気的演出表示手段とすることにより、演出表示を速やかに行うことが可能になり演出の幅も広がる。
【００３７】
　請求項６の遊技機によれば、可変表示手段とそれに対応する演出表示手段とを隣接状に設けたので、これら可変表示手段による可変表示と演出表示手段による演出表示が見やすくなり、それらの対応関係も明確になる。
【００３８】
　請求項７の遊技機によれば、演出表示制御手段に設けた演出表示タイミング機能により、複数の可変表示手段の遊技図柄の変動開始直後又は変動中に、演出表示手段に特別図柄に関連する図柄を表示させることができる。
【００３９】
　請求項８の遊技機によれば、前記演出表示タイミング機能に含まれる同時演出機能により、複数の演出表示部を介して行う演出表示を同時に実行することが可能になり、請求項９の遊技機によれば、前記演出表示タイミング機能に含まれる段階的演出機能により、複数の演出表示部を介して行う演出表示を段階的に実行することが可能になる。
【００４０】
　請求項１０の遊技機によれば、演出表示制御手段に設けたスクロール演出機能により、複数の演出表示部に特別図柄に関連する図柄をスクロール表示可能になり、請求項１１の遊技機によれば、演出表示制御手段に設けた移動演出機能により、複数の演出表示部に特別図柄に関連する図柄を移動表示可能になる。
【発明を実施するための最良の形態】
【００４１】
　本発明の遊技機であるスロットマシンは、複数種類の遊技図柄を夫々可変表示可能な複数の可変表示手段を複数組並べて配置した可変表示装置と、変動停止時の遊技図柄の組合せが特定態様になった場合に遊技者に有利な利益状態を発生させる利益状態発生手段とを備えた遊技機において、前記可変表示装置は、前記複数の可変表示手段に夫々対応させて演出表示を行う複数の演出表示手段を備えたものである。
【実施例】
【００４２】
以下、本発明の実施例について図面を参照しながら説明する。本実施例は、遊技者が遊技媒体であるメダルを１〜３枚ベットし、スタートレバーを操作して３組の回転リールを回転させ、３組のリール停止ボタンを操作して夫々回転リールの回転を停止させ、そのときの停止図柄の組合せによって、メダルの払戻しが得られる等の遊技結果が決まるスロットマシンに、本発明を適用した場合の一例である。
【００４３】
　図１に示すように、スロットマシン１は本体ケース２を有し、その本体ケース２の内部に、第１〜第３回転リール３〜５と、第１〜第３回転リール３〜５を夫々回転駆動する複数の電動モータ６〜８を含むリール駆動手段９（図３参照）と、このリール駆動手段９を介して第１〜第３回転リール３〜５の夫々の回転／停止制御を行うリール回転停止制御手段４４を有する制御装置４０（図３参照）等が設けられている。
【００４４】
　第１〜第３回転リール３〜５は左右方向に並べられ、左右方向向きの同心状の回転軸回りに回転するように配置されている。各回転リール３〜５の外周面には、「７」、「チェリー」、「ベル」、「プラム」等々の複数種類の遊技図柄が、例えば２１個、周方向に所定間隔おきに印されている。これら複数種類の遊技図柄は、特定態様を構成する停止図柄の１つとなる特別図柄（本実施形態の場合、特別図柄「７」）を含んでいる。
【００４５】
　本体ケース２の中段やや上側の前面部分は表示パネル１１に構成され、この表示パネル１１に第１〜第３回転リール３〜５に対応する３つの表示窓１２が左右方向に並べて設けられている。各回転リール３〜５とその前側に位置する表示窓１２が、複数種類の遊技図柄を可変表示可能な図柄変動手段に相当し、この図柄変動手段を左右方向に３組並べて配置して可変表示装置１０が構成されている。
【００４６】
　図２に示すように、各図柄変動手段の表示窓１２は、それを上下方向に３等分して、変動停止状態の回転リール３〜５の遊技図柄を夫々表示可能な３つの表示部１３を有し、全体で３行３列の計９つの表示部１３が設けられている。３組の図柄変動手段において、上段の表示部１３同士、中段の表示部１３同士、下段の表示部１３同士を夫々水平に結ぶ３本の入賞ライン１４〜１６と、左側から右側へ上段中段下段の表示部１３同士、左側から右側へ下段中段上段の表示部１３同士を夫々斜めに結ぶ２本の入賞ライン１７，１８の計５本の入賞ライン１４〜１８が設定されている。
【００４７】
　このスロットマシン１では、１〜３枚のメダルをベットして１回の遊技を行うものであるが、例えば、ベットされるメダル枚数が１枚の場合には１本の入賞ライン１５が有効化され、２枚の場合には３本の入賞ライン１４〜１６が有効化され、３枚の場合には５本全ての入賞ライン１４〜１８が有効化される。
【００４８】
　そして、有効化した入賞ライン上に並ぶ変動停止時の遊技図柄の組合せによって、外れ態様、小役態様、大当り態様（特定態様）等の態様に分かれる。有効化した入賞ライン上に特別図柄「７」が３つ揃う組合せが特定態様「７７７」であり、特にこの場合、その後の遊技において所定条件を満たすまで、メダルの払戻しが多く得られる利益状態が発生する。
【００４９】
　図１に示すように、本体ケース２の表示パネル１０の下側から前方に張出す操作フレーム２ａにメダル投入口１９とベットボタン２０が設けられ、表示パネル１１の左下隅部分に枚数表示手段２１が設けられている。このスロットマシン１では、例えばメダルを５０枚までクレジットすることができ、そのクレジット枚数が枚数表示手段２１に表示される。メダル投入口１９からメダルを投入するか、或いは、メダルのクレジットがある場合にはベットボタン２０を操作して、次の遊技を行うために１〜３枚のメダルをベットすることができる。
【００５０】
　操作フレーム２ａの前部側に、スタートレバー２２と、第１〜第３回転リール３〜５に対応する３つのリール停止ボタン２３〜２５が設けられている。スタートレバー２２が操作されると、１〜３枚のメダルがベットされている場合には、第１〜第３回転リール３〜５が回転を開始する。第１〜第３回転リール３〜５が回転している際に、リール停止ボタン２３〜２５を操作すると、対応する回転リール３〜５が停止する。３つのリール停止ボタン２３〜２５全てが操作されると、第１〜第３回転リール３〜５の全てが停止して１回の遊技が終了する。
【００５１】
　さて、このスロットマシン１において、前記可変表示装置１０には、図２に示すように、３組の可変表示手段（夫々、回転リール３（又は４又は５）とそれに対応する表示窓１２からなる）に夫々対応させて演出表示を行う３組の演出表示手段３０が設けられている。
【００５２】
　各演出表示手段３０は、電気的に表示を行う電気的演出表示手段であり、対応する可変表示手段の右側に隣接状に設けられ、その可変表示手段の３つの表示部１３に夫々対応させて演出表示を行う３つの演出表示部３１を有し、全体で３行３列の計９つの演出表示部３１が設けられている。各演出表示部３１は７セグメントのＬＥＤからなり、各ＬＥＤに「０」〜「９」の数字からなる図柄を表示することで、下側に印した矢印「←」からも明確なように、その左側の表示部１３に対応させた演出表示を行うようになっている。
【００５３】
　次に、スロットマシン１の制御装置４０に予め格納されている複数の制御プログラムを介して達成される種々の機能について、図３の機能ブロック図を参照しながら説明する。制御装置４０の主制御手段４１に、抽選判定手段４２、停止図柄選択手段４３、リール回転停止制御手段４４、停止図柄判定手段４５、利益状態発生手段４６、演出表示記憶手段４７、演出表示抽選判定手段４８、演出表示選択手段４９、演出表示制御手段５０等が設けられていている。
【００５４】
　抽選判定手段４２は、スタートレバー２２を介してＯＮされたスタートスイッチ２２ａからの回転指令信号を受けたときに、ハズレとするか小役当りとするか大当りとするかを乱数抽選にて判定する。停止図柄選択手段４３は、抽選判定手段４２による抽選判定結果に基づいて、有効化した入賞ライン１４〜１８上に停止して表示窓１２から表示可能な停止図柄の組合せを選択する。
【００５５】
　リール回転停止制御手段４４は、スタートスイッチ２２ａからの回転指令信号を受け、モータ駆動手段９を制御して第１〜第３回転リール３〜５を回転させ、リール停止ボタン２３〜２５を介してＯＮされたリール停止スイッチ２３ａ〜２５ａからの停止指令信号を受け、操作されたリール停止ボタン２３〜２５に対応する回転リール３〜５の回転を停止させる。このとき、停止図柄選択手段４３で選択された停止図柄の組合せが有効化した入賞ライン１４〜１８上に揃い易くするために、リール位置検出手段５１からのリール位置信号に基づいて、回転リール３〜５を引込み制御し停止させるようにしてある。
【００５６】
　停止図柄判定手段４５は、全ての回転リール３〜５が停止したときに、リール位置検出手段５１からのリール位置信号に基づいて、有効化した入賞ライン１４〜１８上に停止表示される遊技図柄の組合せがハズレ態様か小役態様か特定態様かの判定を行う。そして、小役態様と特定態様のときには、払出し装置５５の払出し手段５７を駆動し、メダルホッパー５６に貯留されているメダルから、その停止図柄の組合せにより予め設定されている枚数のメダルを払い出す。
【００５７】
　利益状態発生手段４６は、有効化した入賞ライン１４〜１８上に特別図柄「７」が３つ揃って特定態様「７７７」になった場合、その後の遊技において所定条件を満たすまで、例えば、抽選判定手段４２で小役当りが抽選判定される確率を高めたり、そこで小役当りと判定された場合には、停止図柄選択手段４３で、多数ある外れ態様のなかからボーナスゲーム中にだけ小役当りとなる停止図柄を選択する確率を高める等して、メダルの払戻しが多く得られる利益状態、所謂ボーナスゲームを発生させる。
【００５８】
　さて、演出表示記憶手段４７は、例えば、図４に示すように、演出表示装置１０において、左上段の演出表示部３１にのみ特別図柄「７」に関連する同図柄「７」を演出表示させる演出表示パターンや、図６に示すように、９つ全ての演出表示部３１に図柄「７」を演出表示させる演出表示パターン等、演出表示手段３０に演出表示可能な複数種類の演出表示パターンを記憶している。
【００５９】
　この演出表示パターンの種類については、例えば、図７の（１）〜（９）に示すように、図柄「７」を１つの演出表示部３１にのみ表示させる９つの演出表示パターン（図７の（１）〜（９）の演出表示パターン）や、図８の（１）〜（９）に示すように、図柄「７」を１つ、２つ・・・、９つの演出表示部３１に表示させるように規則的に変化させた９つの演出表示パターン（図８の（１）〜（９）の演出表示パターン）がある。
【００６０】
　また、図９の（１）、（２）、（３）・・・に示すように、上記以外に、２〜８つの演出表示部３１の何れかに不規則的に図柄「７」を表示させる複数種類の演出表示パターンや、図６、図８の複数種類の演出表示パターンにおいて、少なくとも１つの図柄「７」の代わりに図柄「０」〜「６」，「８」，「９」を表示させる複数種類の演出表示パターン、等々がある。
【００６１】
　演出表示抽選判定手段４８は、抽選判定手段４２の判定結果に基づいて、ハズレと小役当りと大当りの各場合において、可変表示装置１０で演出表示を行うか否かを抽選し判定する。演出表示選択手段４９は、可変表示装置１０で演出表示を行うと判定された場合に、停止図柄選択手段４３で選択された停止図柄に関するデータに基づいて、演出表示記憶手段４７に記憶されている複数種類の演出表示パターンのなかから、１つの演出表示パターンを選択する。
【００６２】
　演出表示制御手段５０は、抽選手段４２の結果を受け演出表示抽選判定手段４８で演出表示を行うと判定された場合に、演出表示選択手段４９で選択された演出表示パターンに基づいて演出表示手段３０に表示させて演出を行う。
【００６３】
　次に、このスロットマシン１の作用・効果について説明する。
　スロットマシン１の遊技開始にあたって、先ず、遊技媒体であるメダルを１〜３枚ベットする。このとき、メダルをメダル投入口１９から投入してベットするが、メダルのクレジットがある場合には、ベットボタン２０を操作してベットすることができる。
【００６４】
　メダルがベットされた状態で、スタートレバー２２を操作すると第１〜第３回転リール３〜５が回転を開始し、主制御手段４１においては、抽選判定手段４２によりハズレとするか小役当りとするか大当りとするかが抽選判定され、これに基づいて、停止図柄選択手段４３により有効化した入賞ライン１４〜１８上に停止して表示窓１２から表示可能な停止図柄の組合せが選択される。
【００６５】
　一方、抽選判定手段４２で抽選判定されたハズレと小役当りと大当りの各場合において、演出表示抽選判定手段４８により演出表示を行うか否かが抽選判定され、演出表示を行うと判定された場合には、演出表示選択手段４９により、停止図柄選択手段４３からの停止図柄に関するデータに基づいて、演出表示記憶手段４７に記憶されている１つの演出表示パターンを選択する。
【００６６】
　そして、抽選手段４２の結果を受け演出表示抽選判定手段４８で演出表示を行うと判定された場合には、例えば第１〜第３回転リール３〜５の回転開始時に、演出表示制御手段５０が、演出表示選択手段４９で選択された演出表示パターンに基づいて演出表示手段３０を制御して演出を行う。
【００６７】
　ところで、演出表示抽選判定４８において、演出表示を行うという抽選判定を行う確率については、抽選判定手段４２で大当り可能と判定された場合の方を、その他のハズレと小役当り可能と判定された場合よりも高くするように設定することができ、これにより、演出表示手段３０に演出表示が行われた時点で、遊技者は「大当り」を予感し期待度を高めることになる。
【００６８】
　演出表示選択手段４９においては、図７〜図９のように図柄「７」の個数や点灯位置、図柄「７」の並び方等によって異なる演出表示パターンにランク付けを行い、抽選判定手段４２で大当り可能と判定された場合には、ランクの高い演出表示パターンを選択する確率を、ランクの低い演出表示パターンを選択する確率よりも高くするように設定することができ、これにより、遊技者は演出表示手段３０に表示された演出表示パターンによって期待度を異ならせることになる。
【００６９】
　更に、抽選判定手段４２で大当り可能と判定され、演出表示手段３０に演出表示パターンが表示された場合に、その表示パターンの図柄「７」が表示されている演出表示部３１に対応する表示部１３に特定図柄「７」を停止させることを可能にする制御を行うように構成することができる。例えば、図４に示すように、左上段の演出表示部３１に図柄「７」が表示されている状態で、その左側の表示部１３に特定図柄「７」が停止した場合に、遊技者は「大当り」が抽選されたことを明確に知ることができる。
【００７０】
　上記のように、このスロットマシン２によれば、可変表示装置１０において、３組の可変表示手段に夫々対応させて３組の演出表示手段３０を設け、各演出表示手段３０に、その左側の可変表示手段の上段中段下段の３つの表示部１３に夫々対応させて演出表示を行う３つの演出表示部３１を設けたので、演出表示装置１０全体で行う演出表示パターンを豊富にすることができ、その結果、遊技者への期待度等に関連する演出に幅を持たせて遊技性を高めることができるし、その演出表示内容の意味も理解し易いものにすることができる。
【００７１】
　特に、従来のスロットマシンでは、「大当り」が抽選されても、図柄引込み停止制御が行われるものの、利益状態を発生させる特定態様となるように３組の回転リールを停止させることは普通簡単ではなく、「大当り」が抽選されていることを遊技者が知ることは難しいが、演出表示手段３０にて行われる演出表示内容と遊技内容とによって、「大当り」が抽選されていることを遊技者に確実に知らせることが可能となる。また、回転リール３〜５の変動開始時に特別図柄「７」に関連する同図柄「７」を演出表示させることにより、遊技者はその図柄「７」に対応する表示部１３に特別図柄「７」を狙うように停止操作できるようになり、それ故遊技性を高めることができる。
【００７２】
　次に、変更形態について説明する。但し、前記実施形態と同じものには同一符号を付して説明する。
１〕前記実施形態と同様に、抽選判定手段４２で大当りと判定され、演出表示手段３０に演出表示パターンが表示された場合に、その表示パターンの図柄「７」が表示されている演出表示部３１に対応する表示部１３に特定図柄「７」を停止させることを可能にする制御を行うように構成してあるものとして、例えば、図１０に示す演出表示を行って、遊技者に「大当り」が抽選されていることを明確に知らせることができる。
【００７３】
　つまり、「大当り」が抽選されている場合に、第１〜第３回転リール３〜５の回転開始後、右下段の演出表示部３１に図柄「７」が演出表示され、第１，第２回転リール３，４を停止させたときに、左上段の表示部１３に特別図柄「７」が停止し、中中段の表示部１３に特別図柄「７」が停止したとする。この状態で、右下段の表示部１３に特別図柄「７」が停止すると、有効化された入賞ライン１７に「７」が揃う特定態様「７７７」となり「大当り」となるが、右下段の表示部１３に対応する演出表示部３１には図柄「７」が既に表示されているため、この段階で遊技者は「大当り」が抽選されていることを知ることができる。
【００７４】
２〕各演出表示手段３０においては、可変表示手段の対応する３つの表示部１３に共通の１つの表示手段とし、１つの回転リール３（４，５）の停止図柄等に関連する演出表示を行うようにしてもよい。
３〕演出表示手段３０に、特別図柄「７」以外の図柄、「チェリー」、「ベル」、「プラム」等に関連する図柄を表示可能に構成してもよい。更に、この図柄として「大当り」又は「ハズレ」等の文字図柄、文字図柄以外の種々のキャラクター図柄を表示可能にしてもよい。また、演出表示手段３０において、各演出表示部３１に図柄を表示する代わりに、ＬＥＤ等の発光手段を設け、それを点灯制御することにより演出表示を行うようにしてもよい。
【００７５】
４〕演出表示手段においても、可変表示手段と同様に、複数種類の遊技図柄に関連する図柄を印した回転リールを機械的に回転駆動して可変表示を行う機械的可変表示手段とすることも可能である。
５〕可変表示手段を液晶ディスプレイや、ドットマトリックス式ディスプレイ等の電気的に表示を行う電気的演出表示手段とすることができる。可変表示手段をディスプレイとした場合、そのディスプレイの一部を演出表示手段として使用することができる。
【００７６】
６〕演出表示制御手段５０に、複数の可変表示手段の遊技図柄（回転リール３〜５）の変動開始直後又は変動中に、演出表示手段３０に特別図柄に関連する図柄を表示させる演出表示タイミング機能を設けてもよく、この演出表示タイミング機能に、複数の表示部１３を介して行う演出表示を同時に実行する同時演出機能を含めてもよい。
【００７７】
　この同時演出機能を含む演出表示タイミング機能により、例えば、図１１−１に示すように、回転リール３〜５が停止している状態からスタートレバー２２を操作すると、図１１−２に示すように、回転リール３〜５の変動開始直後又は変動中に、複数の演出表示部３１に特別図柄「７」に関連する同図柄「７」が表示される。
【００７８】
　また、例えば、図１２−１に示すように、回転リール３〜５の変動開始直後には、演出表示部３１に特別図柄「７」に関連する同図柄「７」が表示されないが、図１２−２に示すように、それ以降第１，第２回転リール３，４が停止し、第３回転リール５が停止する迄の間の変動途中に、複数の演出表示部３１に特別図柄「７」に関連する同図柄「７」が表示される。
【００７９】
　尚、図１３−１に示すように、全回転リール３〜５が停止、その後、図１３−２に示すように、演出表示部３１に特別図柄「７」に関連する同図柄「７」を表示させるようにしてもよい。尚、全回転リール３〜５が停止しなくても、各回転リール３〜５の停止後、その回転リールに対応する演出表示部３１に特別図柄「７」に関連する同図柄「７」を表示させるようにしてもよい。遊技者は思わぬ図柄「７」の出現により期待度を高めることができる。
【００８０】
７〕演出表示制御手段５０に、複数の可変表示手段の遊技図柄（回転リール３〜５）の変動開始直後又は変動中に、演出表示手段３０に特別図柄に関連する図柄を表示させる演出表示タイミング機能を設けた場合、この演出表示タイミング機能に、複数の表示部１３を介して行う演出表示を段階的に実行する段階的演出機能を含めてもよい。
【００８１】
８〕例えば、図１４−１に示すように、回転リール３〜５の変動開始直後に、第１回転リール３に対応する１つの演出表示部３１に特別図柄「７」に関連する同図柄「７」が表示される。ここで、遊技者が停止ボタン２３を押して、図１４−２に示すように、第１回転リール３を停止させたとき、図柄「７」を表示した左側の表示部１３に特別図柄「７」が停止しなければミスとなり、次に、第２回転リール４に対応する２つの演出表示部３１に図柄「７」が表示される。
【００８２】
　ここで、遊技者が停止ボタン２４を押して、図１４−３に示すように、第２回転リール４を停止させたとき、図柄「７」を表示した左側の表示部１３に特別図柄「７」が停止しなければミスとなり、次に、第３回転リール５に対応する３つの演出表示部３１に図柄「７」が表示される。遊技者が停止ボタン２５を押して、図１４−４に示すように、第３回転リール５を停止させたとき、図柄「７」を表示した左側の表示部１３に特別図柄「７」が停止しなければミスとなる。
【００８３】
９〕演出表示制御手段５０に、複数の演出表示部３１に特別図柄に関連する図柄をスクロール表示可能なスクロール演出機能を設けてもよい。このスクロール表示については、回転リール３〜５が回転を開始してから全回転リール３〜５が停止するまでの間に種々のタイミングで行ってもよいし、全回転リール３〜５の停止後に行ってもよい。
【００８４】
　図１５−１〜図１５−３は、全回転リール３〜５の停止後に、図柄「７」を、中上段の演出表示部３１（（ａ）参照）→中中段の演出表示部３１（（ｂ）参照）→中下段の演出表示部３１（（ｃ）参照）→中上段の演出表示部３１（（ａ）参照）・・・の順に縦にスクロール表示される一例を示しており、スクロール表示後、最終的に、これら３つの演出表示部３１の１つに図柄「７」が停止して表示される。
【００８５】
　図１６−１〜図１６−３は、全回転リール３〜５の停止後に、図柄「７」を、左中段の演出表示部３１（（ａ）参照）→中中段の演出表示部３１（（ｂ）参照）→右中段の演出表示部３１（（ｃ）参照）→左中段の演出表示部３１（（ａ）参照）・・・の順に横にスクロール表示される一例を示しており、スクロール表示後、最終的に、これら３つの演出表示部３１の１つに図柄「７」が停止して表示される。尚、最終的に図柄「７」が停止して表示される演出表示部３１の左側に、特別図柄「７」が停止していると、「大当り」が抽選されているということが判る。
【００８６】
１０〕演出表示制御手段５０に、複数の演出表示部３１に特別図柄に関連する図柄を移動表示可能な移動演出機能を設けてもよい。移動表示については、回転リール３〜５が回転を開始してから全回転リール３〜５が停止するまでの間に種々のタイミングで行ってもよいし、全回転リール３〜５の停止後に行ってもよい。
【００８７】
　例えば、図１７は、全回転リール３〜５の停止後に、図柄「７」を、左下段の演出表示部３１→中下段の演出表示部３１→中中段の演出表示部３１→中上段の演出表示部３１→右上段の演出表示部３１→右中段の演出表示部３１・・・の順に横にスクロール表示される一例を示している。
【００８８】
　この移動表示後、最終的に、複数の演出表示部３１の１つに図柄「７」が停止して表示されるが、その演出表示部３１の左側に、特別図柄「７」が停止していると、「大当り」が抽選されているということが判る。尚、図柄「７」の移動表示順序については、一定の規則を持って行うようにしてもよいし、不規則に行うようにしてもよい。
【００８９】
１１〕前記実施形態において説明した各確率等については適宜変更可能である。１２〕その他、本発明の趣旨を逸脱しない範囲において、前記実施形態に種々変更を加えて実施することが可能であり、上記以外の種々のスロットマシン、パチンコ機、更にはアレンジボール機等の種々の遊技機に本発明を適用可能である。
【図面の簡単な説明】
【００９０】
【図１】本発明の実施の形態に係るスロットマシンの正面図である。
【図２】可変表示装置の正面図である。
【図３】制御系の機能ブロック図である。
【図４】可変表示装置（演出表示状態）の正面図である。
【図５】可変表示装置（演出表示状態）の正面図である。
【図６】可変表示装置（演出表示状態）の正面図である。
【図７】演出表示パターンを複数種類示す図である。
【図８】別の演出表示パターンを複数種類示す図である。
【図９】特殊な演出表示パターンを複数種類示す図である。
【図１０】可変表示装置（演出表示状態）の正面図である。
【図１１−１】図柄変動開始前の図柄表示を示す図である。
【図１１−２】図柄変動中の図柄表示を示す図である。
【図１２−１】図柄変動中の図柄表示を示す図である。
【図１２−２】図柄変動中の図柄表示を示す図である。
【図１３−１】図柄変動停止状態での図柄表示を示す図である。
【図１３−２】図柄変動停止状態での図柄表示を示す図である。
【図１４−１】図柄変動中の図柄表示を示す図である。
【図１４−２】図柄変動中の図柄表示を示す図である。
【図１４−３】図柄変動中の図柄表示を示す図である。
【図１４−４】図柄変動停状態での図柄表示を示す図である。
【図１５−１】図柄変動停止状態での演出用図柄のスクロール表示を示す図である。
【図１５−２】図柄変動停止状態での演出用図柄のスクロール表示を示す図である。
【図１５−３】図柄変動停止状態での演出用図柄のスクロール表示を示す図である。
【図１６−１】図柄変動停止状態での演出用図柄のスクロール表示を示す図である。
【図１６−２】図柄変動停止状態での演出用図柄のスクロール表示を示す図である。
【図１６−３】図柄変動停止状態での演出用図柄のスクロール表示を示す図である。
【図１７】図柄変動停止状態での演出用図柄のスクロール表示を示す図である。
【符号の説明】
【００９１】
１　　　　　　　スロットマシン
３〜５　　　　　第１〜第３回転リール
１０　　　　　　可変表示装置
１２　　　　　　表示窓
１３　　　　　　表示部
３０　　　　　　演出表示手段
３１　　　　　　演出表示部
４２　　　　　　抽選判定手段
４６　　　　　　利益状態発生手段
４７　　　　　　演出表示記憶手段
４９　　　　　　演出表示選択手段
５０　　　　　　演出表示制御手段
【図１】
2004113828.tif 000003
【図２】
2004113828.tif 000004
【図３】
2004113828.tif 000005
【図４】
2004113828.tif 000006
【図５】
2004113828.tif 000007
【図６】
2004113828.tif 000008
【図７】
2004113828.tif 000009
【図８】
2004113828.tif 000010
【図９】
2004113828.tif 000011
【図１０】
2004113828.tif 000012
【図１１−１】
2004113828.tif 000013
【図１１−２】
2004113828.tif 000014
【図１２−１】
2004113828.tif 000015
【図１２−２】
2004113828.tif 000016
【図１３−１】
2004113828.tif 000017
【図１３−２】
2004113828.tif 000018
【図１４−１】
2004113828.tif 000019
【図１４−２】
2004113828.tif 000020
【図１４−３】
2004113828.tif 000021
【図１４−４】
2004113828.tif 000022
【図１５−１】
2004113828.tif 000023
【図１５−２】
2004113828.tif 000024
【図１５−３】
2004113828.tif 000025
【図１６−１】
2004113828.tif 000026
【図１６−２】
2004113828.tif 000027
【図１６−３】
2004113828.tif 000028
【図１７】
2004113828.tif 000029